(57)【要約】【課題】同軸ケーブル、ＬＡＮケーブル、電話線の敷設作業時間の短縮及び敷設コストの削減が図れるとともに、ケーブルの端末処理作業を容易に行なうことができる通信用複合ケーブルを提供する。【解決手段】電話線２とＬＡＮケーブル３を縦添えし、さらにこのＬＡＮケーブル２と電話線３を縦添えしたものと、外被１４が施された同軸ケーブル１とを並設し、その上に絶縁プラスチックをメガネ状に施して共通シース４０を形成する。【選択図】    図３
2009158308.tif 000002
【特許請求の範囲】
【請求項１】
ＬＡＮケーブルと電話線を縦添えしたものと、外被が施された同軸ケーブルとを並設し、その上に絶縁性の隔壁を構成する共通シースをメガネ状に施したことを特徴とする通信用複合ケーブル。
【請求項２】
前記ＬＡＮケーブル及び電話線上に施された前記共通シースの外周部、及び前記同軸ケーブル上に施された前記共通シースの外周部それぞれの２箇所に、引き裂き用の溝がケーブルの延長方向に沿って形成されていることを特徴とする請求項１記載の通信用複合ケーブル。
【請求項３】
前記電話線は、絶縁された芯線が撚り合わされた２本の対撚り線上に共通シースがメガネ状に施されて構成されていることを特徴とする請求項１記載の通信用複合ケーブル。
【発明の詳細な説明】
【技術分野】
【０００１】
本発明は、同軸ケーブル、ＬＡＮケーブル及び電話線を複合して一つのケーブルとした通信用複合ケーブルの構造に関する。
【背景技術】
【０００２】
戸建住宅、集合住宅、オフィス、学校、官公庁等の配線システムでは、ＴＶ、インターネット、電話の３つのサービス提供が必須であり、そのために同軸ケーブル、ＬＡＮケーブル、電話線をバラ配線とするか、又はこれらのケーブルを一括集合させた丸型ケーブルが使用されている。
【０００３】
バラ配線をした場合には、異なる種類のケーブルを一度に敷設する際、ケーブルがまとまっていないために作業が非常に難しい。
【０００４】
他方、丸型ケーブルを使用する場合、ＴＶとインターネット、電話とで施工業者が異なるため、ケーブル敷設後に、同軸ケーブル、ＬＡＮケーブル、電話線の分離作業に時間がかかり、ＴＶ、インターネット、電話の施工作業に速やかに取り掛かることができない等の問題がある。さらに、末端処理をする際、引き裂き又はカッター等を使用して外被を除去し、さらに押え巻きテープを除去した後にコネクタ取付作業を行なうために、作業性が非常に悪い。
【０００５】
また、低圧屋内電力配線との隔離として、現在はケーブルを束ねた上へスパイラルを施したり、配管の中に入れて施工している。
【０００６】
なお、特許文献１の図４には、同軸ケーブル、ＬＡＮケーブル及び電話ケーブルを複合して一つの複合ケーブルとしたものが開示されている。しかし、同複合ケーブルは、外部導体まで仕上げられた同軸ケーブルコアを、ＬＡＮケーブル及び電話ケーブルと拠り合せ又は並列に並べ、その上に共通シースをメガネ状に施して構成されており、同軸ケーブルには外被が施されていない。
【特許文献１】特開２００２−１３３９４９号公報
【発明の開示】
【発明が解決しようとする課題】
【０００７】
本発明は上記のような事情を考慮してなされたものであり、同軸ケーブル、ＬＡＮケーブル、電話線の敷設作業時間の短縮及び敷設コストの削減が図れるとともに、ケーブルの端末処理作業を容易に行なうことができ、また、低圧屋内電力配線との隔壁の役割を持たせるために二重シース化した通信用複合ケーブルを提供することを目的とする。
【課題を解決するための手段】
【０００８】
本発明の通信用複合ケーブルは、ＬＡＮケーブルと電話線を縦添えしたものと、外被が施された同軸ケーブルとを並設し、その上に絶縁性の隔壁を構成する共通シースをメガネ状に施したことを特徴とする。
【０００９】
前記通信用複合ケーブルにおいて、前記ＬＡＮケーブル及び電話線上に施された前記共通シースの外周部、及び前記同軸ケーブル上に施された前記共通シースの外周部それぞれの２箇所に、引き裂き用の溝がケーブルの延長方向に沿って形成されていることを特徴とする。
【００１０】
前記通信用複合ケーブルにおいて、前記電話線は、絶縁された芯線が撚り合わされた２本の対撚り線上に共通シースがメガネ状に施されて構成されていることを特徴とする。
【発明の効果】
【００１１】
本発明によれば、同軸ケーブル、ＬＡＮケーブル、電話線の敷設作業時間の短縮及び敷設コストの削減が図れるとともに、ケーブルの端末処理作業を容易に行なうことができ、また、低圧屋内電力配線との隔壁の役割を持たせるために二重シース化した通信用複合ケーブルを提供することができる。
【発明を実施するための最良の形態】
【００１２】
以下、図面を参照して本発明を実施形態により説明する。
【００１３】
本発明の一実施形態に係る通信用複合ケーブルは、図１の断面図に示される同軸ケーブル１、図２の断面図に示される電話線２及びＬＡＮケーブル３を有する。同軸ケーブル１は、内部導体１１をポリエチレン等の絶縁体１２で覆い、その周囲を外部導体１３で覆い、さらに外被１４で覆った構造を有する。電話線２は、２本の絶縁された芯線が撚り合わされた２本の対撚り線２１上に共通シース２２がメガネ状に施されて構成されている。ＬＡＮケーブル３は、例えば４対の拠り対線３１を押え巻きテープ等により巻回し、これを絶縁プラスチックからなる外被３２で覆った構造を有する。
【００１４】
そして、図２に示すように電話線２とＬＡＮケーブル３を縦添えし、さらにこのＬＡＮケーブル２と電話線３を縦添えしたものと、外被１４が施された同軸ケーブル１１とを並設し、その上に絶縁プラスチックをメガネ状に施して共通シース４０を形成することにより複合ケーブル４１が構成される。
【００１５】
すなわち、本実施形態の複合ケーブル４１は、共通シース４０の形成により、絶縁性の堅ろう隔壁として二重シース化（Ｗシース）が行われ、低圧屋内電力配線との隔離を実現している。
【００１６】
ＬＡＮケーブル２及び電話線３上に施された共通シース４０の外周部、及び同軸ケーブル１１上に施された共通シース４０の外周部それぞれの２箇所には、引き裂き用の溝４２がケーブル４１の延長方向に沿って形成されている。
【００１７】
メガネ状の共通シース４０のブリッジ部の厚みは、手で容易に引き裂くことができる厚さにされている。
【００１８】
上記のような構成の複合ケーブルは、同軸ケーブル１、電話線２及びＬＡＮケーブル３が一体化されているので、敷設作業を一度に行なうことができ、敷設作業時間の短縮及び敷設コストの削減が図れる。
【００１９】
また、共通シース４０のブリッジ部を手で引き裂くことができるので、同軸ケーブル１と、電話線２及びＬＡＮケーブル３からなるケーブルとを容易に分離することができ、ケーブルの敷設後に、ＴＶとインターネット、電話の施工作業に速やかに取り掛かることができる。
【００２０】
さらに、共通シース４０の外周部には引き裂き用の溝４２がケーブル４１の延長方向に沿って形成されているので、同軸ケーブル１と、電話線２及びＬＡＮケーブル３からなるケーブルとに分離された後に、それぞれの共通シース４０を引き裂き用の溝４２により容易に引き裂くことができるので、コネクタの取付作業等、ケーブルの末端処理をする際の作業性が向上する。
【００２１】
また、同軸ケーブル１は、外被１４で覆われている汎用のものをそのまま使用することができるので、製造コストの上昇をふせぐことができる。さらに、同軸ケーブル１は、外被１４で覆われており、さらにその上に共通シース４０が形成されており、いわば二重シース構造となっているので、配管なしで施工することができ、これによっても敷設コストの削減を図ることができ、かつ敷設作業性が向上する。
【図面の簡単な説明】
【００２２】
【図１】本発明の一実施形態の複合ケーブルで使用される同軸ケーブルの断面図。
【図２】本発明の一実施形態の複合ケーブルで使用される電話線及びＬＡＮケーブルの断面図。
【図３】本発明の一実施形態の複合ケーブルの断面図。
【符号の説明】
【００２３】
１…同軸ケーブル、２…電話線、３…ＬＡＮケーブル、４０…共通シース、４１…複合ケーブル、４２…引き裂き用の溝。
【図１】
2009158308.tif 000003
【図２】
2009158308.tif 000004
【図３】
2009158308.tif 000005